(57)【要約】【課題】椅子又はベッド及び傾斜ベッドに相互に変換可能であり、簡易な構成のリクライニングチェアを提供する。【解決手段】座席フレーム１０と、座席フレーム１０の一端側の第１回動軸１ａ・１ｂと回動可能に連結される背もたれフレーム２０と、座席フレーム１０の他端側の第２回動軸１ｃ・１ｄと回動可能に連結される脚部座フレーム３０と、第１回動軸１ａ・１ｂを回動可能に支持する支持フレーム４０と、を備える。第１直動軸５１ａは背もたれフレーム２０に連結する。第２直動軸５２ａは脚部座フレーム３０に連結する。第１及び第２電動アクチュエータ５１・５２を駆動することにより、リクライニングチェア１００を椅子の状態とベッドの状態と傾斜ベッドの状態に相互に変位可能とする。【選択図】        図１
2006326172.tif 000002
【特許請求の範囲】
【請求項１】
座席フレームと、この座席フレームの一端側に設けられる第１回動軸と回動可能に連結される背もたれフレームと、この座席フレームの他端側に設けられる第２回動軸と回動可能に連結される脚部座フレームと、前記第１回動軸を回動可能に支持して前記座席フレームを床面と略平行に配置可能な支持フレームと、この支持フレーム内に設けられ、進退する直動軸を有する第１及び第２電動アクチュエータと、を備えるリクライニングチェアであって、
前記第１電動アクチュエータの直動軸の先端部は、前記背もたれフレームと回動可能に連結されて当該背もたれフレームを回動し、
前記第２電動アクチュエータの直動軸の先端部は、前記脚部座フレームと回動可能に連結されて当該脚部座フレームを回動し、
前記第１及び第２電動アクチュエータを駆動することにより、前記座席フレームに対して前記背もたれフレームが起立しており、かつ前記座席フレームに対して前記脚部座フレームが下垂している椅子の状態と、前記座席フレームと前記背もたれフレーム及び前記脚部座フレームが床面と略平行となるベッドの状態と、を相互に変位可能とするリクライニングチェア。
【請求項２】
前記第１及び第２電動アクチュエータを駆動することにより、前記背もたれフレームが床面と略平行であり、前記座席フレーム及び前記脚部座フレームが略面一で当該脚部座フレーム側が当該座席フレーム側より高位となる傾斜ベッドの状態に変位可能とする請求項１記載のリクライニングチェア。
【請求項３】
前記支持フレームは、床面に設置される下部フレームと、この下部フレームに対向して当該下部フレームより面積が小さく前記座席フレームを載置可能な上部フレームと、これら下部フレーム及び上部フレームの端部同士を連結する一対の傾斜フレームと、を備え、
前記一方の傾斜フレームは前記脚部座フレームに当接可能な請求項１又は２記載のリクライニングチェア。
【請求項４】
前記他方の傾斜フレームに沿って取り付けられる一対のガイドレールと、
一端部が前記背もたれフレームと回動可能に連結し、他端部が前記一対のガイドレールに案内される一対のステーと、を備える請求項１から３のいずれかに記載のリクライニングチェア。
【請求項５】
前記背もたれフレームの頂部にヘッドボードが回動可能に連結され、このヘッドボードは前記背もたれフレームと平行に折りたたみ可能とする請求項１から４のいずれかに記載のリクライニングチェア。
【請求項６】
前記座席フレーム及び前記背もたれフレームの両翼に開閉自在にそれぞれ一対の落下防止柵が設けられ、この一対の落下防止柵の内側に一定の間隔をあけて身体が規制される一対の体側規制部材が配置される請求項１から５のいずれかに記載のリクライニングチェア。
【請求項７】
前記一対の体側規制部材は、座席フレームと前記背もたれフレーム及び前記脚部座フレームに載置されるマットレスに着脱自在なクッション部材である請求項６記載のリクライニングチェア。
【請求項８】
前記体側規制部材は、相互に着脱自在に積層されるクッション部材である請求項７記載のリクライニングチェア。
【発明の詳細な説明】
【技術分野】
【０００１】
本発明は、リクライニングチェアに関する。特に、本発明のリクライニングチェアは、背もたれの角度調整が可能であり、背もたれを倒して背もたれを平らにすると、座席の脚部側が高くなるように緩やかに傾斜するベッドに相互変換可能な電動式のリクライニングチェアに関する。
【背景技術】
【０００２】
背もたれの角度調整が可能である椅子としては、例えば、リクライニングシートが知られている。リクライニングシートは、椅子の背もたれが後ろに倒れ、調整できるようになっている座席と定義され、一般に、リクライニングとも略称されている。リクライニングシートは、バス・飛行機・自動車・電車などの乗り物に普及している。又、リクライニングチェアは、安楽いすの一種であり、背もたれの角度調整が可能で足掛台のついたもの、と定義されている。リクライニングチェアは、例えば、歯科治療用チェア、又はリラックスチェアとして使用されている。
【０００３】
前述のリクライニングチェアとして、フレーム構成を工夫することにより、簡素で、着座姿勢も伏臥姿勢も良好にすることができ、又、背もたれを回動させるモータの取り付け位置を工夫して、全体を小型にできる多目的チェアのフレームが発明されている（例えば、特許文献１参照）。
【０００４】
図２１は、特許文献１による多目的チェア（リクライニングチェア）のフレームの側面図である。本願の図２１は、特許文献１の図１に対応している。図２１において、リフト機構８５及びその他の詳細は省略している。
【０００５】
図２１において、多目的チェアのフレーム本体８１は、床上に載置される支持下部フレーム８２の上方に上部支持フレーム８６を設けている。又、上部支持フレーム８６に背もたれフレーム８９と座席フレーム８２０を回動自在に取り付けている。座席フレーム８２０の前側に、足掛部フレーム８２２の基部を回動自在に設けている。更に、足掛部フレーム８２２の先端にステップフレーム８２４を設けている。
【０００６】
図２１において、背もたれフレーム８９と座席フレーム８２０と足掛部フレーム８２２、及びステップフレーム８２４は、展身モードと、ベッドモードと、着座モードとに変位できるように構成されている。
【０００７】
前記展身モードは、背もたれフレーム８９と座席フレーム８２０と足掛部フレーム８２２とステップフレーム８２４が略面一となり、ステップフレーム８２４側が高く、背もたれフレーム８９側が低い状態を維持する。前記ベッドモードは、背もたれフレーム８９と座席フレーム８２０と足掛部フレーム８２２とステップフレーム８２４のそれぞれが面一で、略水平状態を維持する。前記着座モードは、背もたれフレーム８９が起立状態であり、足掛部フレーム８２２が下垂状態であり、ステップフレーム８２４が水平状態であって、座席フレーム８２０は前上りの傾斜状態を維持する。図２１は、前述の着座モードを示している。
【０００８】
着座モードからベッドモードに変位するときは、座席フレーム８２０は、一旦、前端が下降してから上方に回動して、足掛部フレーム８２２と面一となるように構成されている。又、着座モードからベッドモードに変位するときは、ステップフレーム８２４は水平状態を保持し、ベッドモードから展身モードに変位するときは、ステップフレーム８２４が足掛部フレーム８２２と面一のまま上方に回動するように構成されている。
【０００９】
図２１において、フレーム本体８１は、伸縮するロッドを有するリクライニング用モータ８１１と、伸縮するロッドを有するチルト（ｔｉｌｔ）用モータ８３３を備えている。モータ８１１とモータ８３３を独立して又は連携して駆動することにより、複数のリンクで構成されたフレーム本体８１を、展身モードと、ベッドモードと、着座モードとに変位可能としている。
【特許文献１】特開２０００−３４２３７３号公報
【発明の開示】
【発明が解決しようとする課題】
【００１０】
しかしながら、家庭やオフィース、又はリラクセーションルームに設置されるようなリクライニングチェアは、特許文献１で示されたような複雑な構成、又は構造は必要とされない。特許文献１に倣って言えば、着座モードと展身モードとに相互に変換可能な簡易な構成の電動式リクライニングチェアが求められる。
【００１１】
椅子として用いるときは、ソファーのようにくつろぐことができ、背もたれを倒すことにより、足部側が高く頭部側が低くなるように緩やかに傾斜するベッド、例えば、このベッドに仰臥することにより足のむくみが回復するようなリラックスできるベッドに変換されるリクライニングチェアが求められる。つまり、このことが本発明の課題といってよい。
【００１２】
本発明は、上述した課題を解決すべく、座席は、脚側が上位に腰側が下位になるように緩やかに傾斜配置され、一方の電動アクチュエータは背もたれを起伏可能とし、他方の電動アクチュエータは、脚部座の姿勢が座席から垂下される状態と、脚部座の姿勢が座席と面一になる状態に変換可能とする構造とし、より簡易な構成を有するリクライニングチェアを提供することを目的とする。
【課題を解決するための手段】
【００１３】
発明者は、上記目的を満たすため、進退する直動軸を有する二つの電動アクチュエータを備え、一方の電動アクチュエータを背もたれフレームに連結して背もたれを起伏させ、他方の電動アクチュエータを脚部座フレームに連結して、脚部座フレーム及び座席フレームの姿勢を変位させる構造とし、二つの電動アクチュエータを駆動して、椅子又はベッド及び傾斜ベッドとに相互に変換可能な簡易な構成とし、以下のような新たなリクライニングチェアを発明した。
【００１４】
（１）  座席フレームと、この座席フレームの一端側に設けられる第１回動軸と回動可能に連結される背もたれフレームと、この座席フレームの他端側に設けられる第２回動軸と回動可能に連結される脚部座フレームと、前記第１回動軸を回動可能に支持して前記座席フレームを床面と略平行に配置可能な支持フレームと、この支持フレーム内に設けられ、進退する直動軸を有する第１及び第２電動アクチュエータと、を備えるリクライニングチェアであって、前記第１電動アクチュエータの直動軸の先端部は、前記背もたれフレームと回動可能に連結されて当該背もたれフレームを回動し、前記第２電動アクチュエータの直動軸の先端部は、前記脚部座フレームと回動可能に連結されて当該脚部座フレームを回動し、前記第１及び第２電動アクチュエータを駆動することにより、前記座席フレームに対して前記背もたれフレームが起立しており、かつ前記座席フレームに対して前記脚部座フレームが下垂している椅子の状態と、前記座席フレームと前記背もたれフレーム及び前記脚部座フレームが床面と略平行となるベッドの状態と、を相互に変位可能とするリクライニングチェア。
【００１５】
（１）の発明によるリクライニングチェアは、座席フレームと背もたれフレームと脚部座フレーム及び支持フレームを備えている。背もたれフレームは、座席フレームの一端側に設けられる第１回動軸と回動可能に連結する。脚部座フレームは座席フレームの他端側に設けられる第２回動軸と回動可能に連結する。支持フレームは、第１回動軸を回動可能に支持して座席フレームを床面と略平行に配置可能としている。
【００１６】
例えば、座席フレームは、平行に延びる一対の座席レールと、これら一対の座席レールと直交するように複数の連結架が一対の座席レールに連結されて構成される。例えば、これら一対の座席レールは、角パイプで形成されよく、複数の連結架は、例えば、角パイプで形成されてもよく、コの字状に折り曲げられたチャンネル部材で形成されてもよい。一対の座席レールと一対の連結架は、ねじなどの締結具で連結されてもよく、溶接で連結されてもよい。
【００１７】
又、例えば、背もたれフレームは、平行に延びる一対の背もたれレールと、これら一対の背もたれレールと直交するように複数の連結架が一対の背もたれレールに連結されて構成される。例えば、これら一対の背もたれレールは、角パイプで形成されてもよく、複数の連結架は、例えば、角パイプで形成されてもよく、コの字状に折り曲げられたチャンネル部材で形成されてもよい。一対の背もたれレールと一対の連結架は、ねじなどの締結具で連結されてもよく、溶接で連結されてもよい。
【００１８】
例えば、脚部座フレームは、平行に延びる一対の脚部座レールと、これら一対の脚部座レールと直交するように一対の連結架が一対の脚部座レールに連結されて構成される。例えば、これら一対の脚部座レールは、角パイプで形成されてもよく、複数の連結架は、例えば、角パイプで形成されてもよく、コの字状に折り曲げられたチャンネル部材で形成されてもよい。一対の脚部座レールと一対の連結架は、ねじなどの締結具で連結されてもよく、溶接で連結されてもよい。
【００１９】
そして、座席フレームの一端側に、第１回動軸で回動可能に背もたれフレームが連結される。座席フレームと背もたれフレームは、例えば、一対の座席レールの一端側と、一対の背もたれレールの他端側が、一対のピンなどの第１回動軸で回動可能に連結されてもよい。又、座席フレームの他端側に、第２回動軸で回動可能に脚部座フレームが連結される。座席フレームと脚部座フレームは、例えば、一対の座席レールの他端側と、一対の脚部座レールの一端側が、一対のピンなどの第２回動軸で回動可能に連結されてもよい。
【００２０】
例えば、脚部座フレームと座席フレームと背もたれフレームに、それぞれマットレスが相互に連結されて載置され、脚部座と座席及び背もたれとしてもよく、脚部座フレームの端部から背もたれフレームの端部に亘りマットレスが載置されて、このマットレスが互いに屈曲して脚部座と座席及び背もたれとしてもよい。
【００２１】
例えば、支持フレームは、後述するように平行に延びる一対の下部レールを有し、この一対の下部レールが床面に設置される下部フレームを構成する。この下部フレームに対向して下部フレームと平行に上部フレームが設けられる。例えば、この上部フレームが第１回動軸を回動可能に支持して、この上部フレームに座席フレームを配置可能とする。ここで、配置可能とは上部フレームに座席フレームを載置可能と言い換えることもできる。そして、後述するように、支持フレームは、これら下部フレーム及び上部フレームの端部同士を連結する一対の傾斜フレームを備えている。
【００２２】
このリクライニングチェアの寸法と、これら座席と背もたれ及び脚部座の長さは適宜設定される。このリクライニングチェアは、例えば、横幅が約８０ｃｍに設定される。このような横幅を有するリクライニングチェアは、例えば、座席の長さが約５５ｃｍ程度に設定され、背もたれの長さが７７ｃｍ程度に設定されている。脚部座の長さは３３ｃｍ程度に設定されている。又、このリクライニングチェアが傾斜ベッドとして用いられる場合は、前記傾斜ベッドは床面に対して例えば、最大約１０度に傾斜される。
【００２３】
又、（１）の発明によるリクライニングチェアは、支持フレーム内に設けられる第１及び第２電動アクチュエータを備えている。第１及び第２電動アクチュエータは、進退する直動軸を有している。第１電動アクチュエータの直動軸の先端部は、背もたれフレームと回動可能に連結されて当該背もたれフレームを回動する。第２電動アクチュエータの直動軸の先端部は、脚部座フレームと回動可能に連結されて脚部座フレームを回動する。
【００２４】
例えば、第１及び第２電動アクチュエータは、モータ本体に対して相対的に進退する直動軸を有している。例えば、第１及び第２電動アクチュエータの直動軸の先端部には、クレビス形の支持部が備えられている。一方、この先端部に相反する向きに位置するモータ本体の後端部には、クレビス形の支持部が備えられている。
【００２５】
例えば、背もたれフレームはアームを下設しており、このアームの先端部と第１電動アクチュエータの直動軸の先端部が回動可能に連結される。一方、第１電動アクチュエータのモータ本体側の支持部は、脚部座フレーム側の傾斜フレームと回動可能に連結される。第１電動アクチュエータの直動軸は、脚部座フレーム側から背もたれフレーム側に向って進出できる。第１電動アクチュエータの直動軸は、背もたれフレーム側から脚部座フレーム側に向って退却できる。そして、第１電動アクチュエータは背もたれフレームを回動させる。
【００２６】
例えば、脚部座フレームは、第２電動アクチュエータの直動軸の先端部と回動可能に連結される。一方、第２電動アクチュエータのモータ本体側の支持部は、上部フレームに下設されたアームの先端部と回動可能に連結される。第２電動アクチュエータの直動軸は、背もたれフレーム側から脚部座フレーム側に向って進出できる。第２電動アクチュエータの直動軸は、脚部座フレーム側から背もたれフレーム側に向って退却できる。そして、第２電動アクチュエータは脚部座フレームを回動させる。
【００２７】
そして、（１）の発明によるリクライニングチェアは、第１及び第２電動アクチュエータを駆動することにより、座席フレームに対して前記背もたれフレームが起立しており、かつ座席フレームに対して脚部座フレームが下垂している椅子の状態と、座席フレームと背もたれフレーム及び脚部座フレームが床面と略平行となるベッドの状態と、を相互に変位可能としている。
【００２８】
例えば、第１電動アクチュエータの直動軸を進出して、座席フレームに対して背もたれフレームを起立させる。一方、第２電動アクチュエータの直動軸を退却して、座席フレームに対して脚部座フレームが下垂する状態に維持する。そして、このリクライニングチェアが椅子の状態となる。例えば、第１電動アクチュエータの直動軸を退却して、座席フレームと背もたれフレームが面一になるように傾倒させる。一方、第２電動アクチュエータの直動軸を進出して、座席フレームと脚部座フレームが面一になるように脚部座フレームを回動して維持する。そして、このリクライニングチェアがベッドの状態となる。
【００２９】
例えば、第１及び第２電動アクチュエータは、それぞれ独立して駆動されてよく、制御装置により相互に関連づけられて駆動されてもよい。又、第１及び第２電動アクチュエータは、背もたれフレーム及び脚部座フレームの勾配を任意の傾斜角度で保持することも可能である。
【００３０】
本発明によるリクライニングチェアは、椅子として用いるときは、ソファーのようにくつろぐことができ、背もたれを倒し、脚部座を起こすことにより、ベッドに変換される。本発明によるリクライニングチェアは、従来のリクライニングチェアと比較して、構成又は構造を簡易としている。
【００３１】
（２）  前記第１及び第２電動アクチュエータを駆動することにより、前記背もたれフレームが床面と略平行であり、前記座席フレーム及び前記脚部座フレームが略面一で当該脚部座フレーム側が当該座席フレーム側より高位となる傾斜ベッドの状態に変位可能とする（１）記載のリクライニングチェア。
【００３２】
（２）の発明によるリクライニングチェアは、第１及び第２電動アクチュエータを駆動することにより、背もたれフレームが床面と略平行であり、座席フレーム及び脚部座フレームが略面一で脚部座フレーム側が座席フレーム側より高位となる傾斜ベッドの状態に変位可能としている。
【００３３】
例えば、第１電動アクチュエータの直動軸を退却して、座席フレームと背もたれフレームが面一になるように傾倒させる。一方、座席フレームと脚部座フレームが面一の状態であり床面と平行の状態から、第２電動アクチュエータの直動軸を進出させると、座席フレームと脚部座フレームは面一の状態を維持したまま、第１回動軸を回動中心として回動する。そして、座席フレームと脚部座フレームが面一の状態で所定角度に起立させて、傾斜ベッドの状態に変位可能となる。
【００３４】
ここで、座席フレームに対して脚部座フレームが下垂している状態から、座席フレームと脚部座フレームが面一の状態に変位可能であるが、座席フレームに対して脚部座フレームがこれ以上屈曲しないように座席フレームと脚部座フレームは連結されている。前述の傾斜ベッドの状態から第２電動アクチュエータの直動軸を退却させると、座席フレームが上部フレームに当接した段階でベッドの状態となる。更に、第２電動アクチュエータの直動軸を退却させると、脚部座フレームは第２回動軸を中心に回動し、椅子の状態に戻ることができる。
【００３５】
本発明によるリクライニングチェアは、椅子の状態にもベッドの状態にも変換可能としている。更に、足部側が高く頭部側が低くなるように緩やかに傾斜するベッド、例えば、この傾斜ベッドに仰臥することにより足のむくみが回復するようなリラックスできるベッドに変換可能である。本発明によるリクライニングチェアは、従来のリクライニングチェアと比較して、構成又は構造を簡易としている。
【００３６】
（３）  前記支持フレームは、床面に設置される下部フレームと、この下部フレームに対向して当該下部フレームより面積が小さく前記座席フレームを載置可能な上部フレームと、これら下部フレーム及び上部フレームの端部同士を連結する一対の傾斜フレームと、を備え、前記一方の傾斜フレームは前記脚部座フレームに当接可能な（１）又は（２）記載のリクライニングチェア。
【００３７】
例えば、下部フレームは平行に延びる一対の下部レールを有し、これら一対の下部レールと直交するように一対の連結架が一対の下部レールの両端部に連結されて構成される。例えば、上部フレームは平行に延びる一対の上部レールを有し、これら一対の上部レールと直交するように一対の連結架が一対の上部レールの両端部に連結されて構成される。上部フレームは下部フレームより面積が小さいとは、上部レールは下部レールより伸長が短いことであってよい。そして、この上部フレームに座席フレームを載置可能としている。
【００３８】
一対の傾斜フレームは、下部フレーム及び上部フレームの端部同士を連結する。例えば、このリクライニングチェアが脚部座フレーム側又は背もたれフレーム側に傾倒しないように、下部フレームの両端部（一対の下部レールの両端部）は延出されてよく、特に、背もたれフレーム側の下部フレームの端部は、脚部座フレーム側の下部フレームの端部より長く延出されてよい。
【００３９】
そして、一方の傾斜フレームは脚部座フレームに当接可能としている。一方の傾斜フレームは脚部座フレームに当接可能としているとは、第２電動アクチュエータの直動軸を退却して、脚部座フレームが一方の傾斜フレームに当接されることであってよく、座席フレームに対して脚部座フレームが下垂している椅子の状態が維持される。例えば、第２電動アクチュエータが通電されることなく、椅子の状態が維持される。
【００４０】
（４）  前記他方の傾斜フレームに沿って取り付けられる一対のガイドレールと、一端部が前記背もたれフレームと回動可能に連結し、他端部が前記一対のガイドレールに案内される一対のステーと、を備える（１）から（３）のいずれかに記載のリクライニングチェア。
【００４１】
例えば、一対のガイドレールは方形の溝を有している。そして、この方形の溝が互いに対向するように、一対のガイドレールが一対の他方の傾斜フレームに沿って取り付けられる。例えば、一対のステーの一端部は丸パイプなどで連結され、この丸パイプの両端部が背もたれフレームと回動可能に連結される。例えば、一対のステーの他端部は、ローラベアリングを有し、このローラベアリングがガイドレールの溝に案内される。
【００４２】
ここで、背もたれレールとガイドレール及びステーは、リンクを構成しているということもできる。例えば、第１電動アクチュエータの直動軸を進出すると、一対のステーの他端部（例えば、ローラベアリング）は一対のガイドレールの溝に案内されて、上部フレーム側に移動する。第１電動アクチュエータの直動軸を退却すると、ステーの他端部は一対のガイドレールの溝に案内されて、下部フレーム側に移動して停止する。つまり、この一対のステーは、座席フレームと背もたれフレームが床面と平行な状態の時に、背もたれフレームにかかる荷重（人体の重量も含む）を負担（支持）している。例えば、第１電動アクチュエータが通電されることなく、ベッド及び傾斜ベッドの状態が維持される。
【００４３】
（５）  前記背もたれフレームの頂部にヘッドボードが回動可能に連結され、このヘッドボードは前記背もたれフレームと平行に折りたたみ可能とする（１）から（４）のいずれかに記載のリクライニングチェア。
【００４４】
例えば、ヘッドボードは平板状に形成され、このヘッドボードの一方の端部と背もたれフレームの頂部がヒンジで回転可能に連結される。例えば、ヘッドボード及び背もたれフレームの頂部側の両翼に一対のステーが配置され、この一対のステーの一端部はヘッドボードと回動可能に連結される。この一対のステーの他端部は、背もたれフレームの頂部側の両翼にスライド可能に連結される。
【００４５】
例えば、本発明によるリクライニングチェアをベッド又は傾斜ベッドとして使用するときは、背もたれフレームに対してヘッドボードを起立させることにより、頭部がヘッドボードで防御される。又、このとき、ヘッドボードは一対のステーに係止されて背もたれフレームに対して略９０度以上開閉しないようになっている。又、例えば、本発明によるリクライニングチェアを椅子として使用するときは、このヘッドボードを背もたれフレームと平行に折りたたみ、更に、このヘッドボード上にマットレスを敷くことにより、この部位をヘッドレストとすることができる。
【００４６】
（６）  前記座席フレーム及び前記背もたれフレームの両翼に開閉自在にそれぞれ一対の落下防止柵が設けられ、この一対の落下防止柵の内側に一定の間隔をあけて身体が規制される一対の体側規制部材が配置される（１）から（５）のいずれかに記載のリクライニングチェア。
【００４７】
例えば、落下防止柵（サイドガード）は丸パイプで構成され、座席フレーム及び背もたれフレームの両翼にめぐらされて、人体の落下を防止する。一対の落下防止柵は、座席フレーム及び背もたれフレームの両翼に開閉自在に設けられる。ここで、一対の落下防止柵が閉じられるとは、一対の落下防止柵の一方、又は双方が起立した状態であり、一対の落下防止柵が開かれるとは、一対の落下防止柵の一方、又は双方が回動して垂下して状態を意味している。通常は、対向する一対の落下防止柵が起立している。
【００４８】
そして、この一対の落下防止柵の内側に一定の間隔をあけて身体が規制される一対の体側規制部材が配置される。例えば、この落下防止柵はそれぞれ独立して開閉される。必要に応じて所定の個所の落下防止柵が開閉される。例えば、介助者が患者をベッドから移動するときには、片側の落下防止柵が開かれてもよい。
【００４９】
本発明によるリクライニングチェアを傾斜ベッド、特に、この傾斜ベッドに仰臥することにより足のむくみが回復するようなリラックスできるベッドと使用するときに、身体が規制される一対の体側規制部材が配置されることにより、身体が移動することなく安定した姿勢を保つことができる。ここで、体側とは、身体の胴体から大腿部に至る体側部位を含んでいる。そして、後述するように、一対の体側規制部材は、座席フレームと背もたれフレーム及び脚部座フレームに載置されるマットレスに着脱自在なクッション部材であることが好ましく、相互に着脱自在に積層される分割可能なクッション部材であってもよい。
【００５０】
（７）  前記一対の体側規制部材は、座席フレームと前記背もたれフレーム及び前記脚部座フレームに載置されるマットレスに着脱自在なクッション部材である（６）記載のリクライニングチェア。
【００５１】
この体側規制部材は、例えば、面ファスナーでマットレスに着脱自在に結合される。
【００５２】
（８）  前記体側規制部材は、相互に着脱自在に積層されるクッション部材である（７）記載のリクライニングチェア。
【００５３】
この体側規制部材は、例えば、直方体状に形成され、分割されて面ファスナーで相互に着脱自在に積層される。
【発明の効果】
【００５４】
本発明によるリクライニングチェアは、椅子として用いるときは、ソファーのようにくつろぐことができ、背もたれを倒し、脚部座を起こすことにより、足部側が高く頭部側が低くなるように緩やかに傾斜するベッドに変換される。例えば、この傾斜ベッドに仰臥することにより足のむくみが回復するようなリラックスできるベッドとなる。本発明によるリクライニングチェアは、従来のリクライニングチェアと比較して、構成又は構造を簡易としている。
【発明を実施するための最良の形態】
【００５５】
以下、図面を参照して本発明を実施するための最良の形態を説明する。
【００５６】
図１は、本発明によるリクライニングチェアの一実施形態を示す正面図である。図２は、前記実施形態によるリクライニングチェアの平面図であり、マットレスは省略されている。図３は、前記実施形態によるリクライニングチェアの正面図であり、主としてフレーム構成が描かれている。図４は、図３の横断面図である。
【００５７】
又、図５は、前記実施形態によるリクライニングチェアの要部拡大平面図である。図５は、主としてヘッドボードが描かれている。図６は、図５の正面図であり、主としてヘッドボードが描かれている。図７は、図５の右側面図であり、主としてヘッドボードが描かれている。図８は、前記実施形態によるリクライニングチェアの平面図であり、フレームの一部が省略されている。図９は、前記実施形態によるリクライニングチェアの正面図であり、このリクライニングチェアの動作が描かれている。
【００５８】
更に、図１０は、前記実施形態によるリクライニングチェアの支持フレームの平面図である。図１１は、前記実施形態による支持フレームの正面図である。図１２は、前記実施形態による支持フレームの右側面図である。図１３は、前記実施形態による支持フレームの要部拡大平面図である。図１４は、図９の要部拡大図である。図１５は、図１０の要部拡大図である。図１６は、図１５のＡ部を拡大した断面図である。
【００５９】
図１７は、前記実施形態によるリクライニングチェアの正面図であり、主として落下防止柵が描かれている。図１８は、図１７の横断面図であり、主として落下防止柵が描かれている。図１９は、前記実施形態によるリクライニングチェアの横断面図であり、主として落下防止柵及び体側規制部材が描かれている。図２０は、前記実施形態によるリクライニングチェアの横断面図であり、主として落下防止柵及び体側規制部材が描かれている。
【００６０】
最初に、本発明によるリクライニングチェアおける一実施形態の構成を説明する。
【００６１】
図１において、本発明によるリクライニングチェア１００は、座席フレーム１０と背もたれフレーム２０と脚部座フレーム３０及び支持フレーム４０を備えている。背もたれフレーム２０は、座席フレーム１０の一端側に設けられる第１回動軸１ａ・１ｂと回動可能に連結している（図３参照）。脚部座フレーム３０は座席フレーム１０の他端側に設けられる第２回動軸１ｃ・１ｄと回動可能に連結している（図３参照）。支持フレーム４０は、第１回動軸１ａ・１ｂを回動可能に支持して座席フレーム１０を床面Ｇと略平行に配置可能としている。
【００６２】
図２において、座席フレーム１０は、平行に延びる一対の座席レール１１・１２を有している。一対の座席レール１１・１２と直交するように連結架１３・１４が一対の座席レール１１・１２に連結されている。対向する連結架１３・１４間には、一対の座席レール１１・１２と平行な補強架１５が連結されている。これら一対の座席レール１１・１２、連結架１３・１４、及び補強架１５は、角パイプで形成され、相互に溶接で連結されている。又、一対の座席レール１１・１２と補強架１５間を、コの字状に折り曲げられた複数のチャンネル部材１６で連結している。複数のチャンネル部材１６は、マットレス１ｍが載置される平面を形成している（図１参照）。
【００６３】
図２において、背もたれフレーム２０は、平行に延びる一対の背もたれレール２１・２２を有している。一対の背もたれレール２１・２２と直交するように連結架２３・２４が一対の背もたれレール２１・２２に連結されている。対向する連結架２３・２４間には、一対の背もたれレール２１・２２と平行な補強架２５が連結されている。これら一対の背もたれレール２１・２２、連結架２３・２４、及び補強架２５は、角パイプで形成され、相互に溶接で連結されている（図４参照）。又、一対の背もたれレール２１・２２と補強架２５間を、コの字状に折り曲げられた複数のチャンネル部材２６で連結している（図４参照）。複数のチャンネル部材２６は、マットレス１ｍが載置される平面を形成している（図１参照）。
【００６４】
図２において、脚部座フレーム３０は、平行に延びる一対の脚部座レール３１・３２を有している。一対の脚部座レール３１・３２と直交するように連結架３３・３４が一対の脚部座レール３１・３２に連結されている。対向する連結架３３・３４間には、一対の脚部座レール３１・３２と平行な補強架３５が連結されている。これら一対の脚部座レール３１・３２、連結架３３・３４、及び補強架３５は、角パイプで形成され、相互に溶接で連結されている。又、一対の脚部座レール３１・３２と補強架３５間を、コの字状に折り曲げられた複数のチャンネル部材３６で連結している。複数のチャンネル部材３６は、マットレス１ｍが載置される平面を形成している（図１参照）。
【００６５】
そして、図２において、座席フレーム１０と背もたれフレーム２０は、一対の座席レール１１・１２の一端側と、一対の背もたれレール２１・２２の他端側が、一対のピン１ａ・１ｂからなる第１回動軸で回動可能に連結されている。又、座席フレーム１０と脚部座フレーム３０は、一対の座席レール１１・１２の他端側と、一対の脚部座レール３１・３２の一端側が、一対のピン１ｃ・１ｄからなる第２回動軸で回動可能に連結されている。
【００６６】
例えば、図１において、脚部座フレーム３０と座席フレーム１０と背もたれフレーム２０に、それぞれマットレスが相互に連結されて載置されて、脚部座３と座席１及び背もたれ２としてもよく、図１の実施形態に示されるように、脚部座フレーム３０の端部から背もたれフレーム２０の端部に亘りマットレス１ｍが載置されて、マットレス１ｍが互いに屈曲して脚部座３と座席１及び背もたれ２としてもよい。
【００６７】
図１０に示されるように、支持フレーム４０は、平行に延びる一対の下部レール４１ａ・４２ａを有し、一対の下部レール４１ａ・４２ａが床面Ｇに設置される下部フレーム４ａを構成している（図１参照）。下部フレーム４ａに対向して下部フレーム４ａと平行に上部フレーム４ｂが設けられている（図１１参照）。上部フレーム４ｂが第１回動軸１ａ・１ｂを回動可能に支持して、上部フレーム４ｂに座席フレーム１０を配置可能としている。ここで、配置可能とは上部フレーム４ｂに座席フレーム１０を載置可能と言い換えることもできる。そして、図１に示されるように、支持フレーム４０は、下部フレーム４ａ及び上部フレーム４ｂの端部同士を連結する一対の傾斜フレーム４ｃ・４ｄを備えている。
【００６８】
図１０及び図１１において、一対の上部レール４１ｂ・４２ｂに一対の連結架４３ｂ・４４ｂが連結されている。そして、一方の連結架４４ｂの両翼に一対の支持ブラケット４６１・４６２が立設されている（図１２参照）。一対の支持ブラケット４６１・４６２はそれぞれ、第１回動軸１ａ・１ｂを回動可能に両端支持している（図１３参照）。
【００６９】
前述において、支持フレーム４０は、第１回動軸１ａ・１ｂを回動可能に支持しているとは、一対の支持ブラケット４６１・４６２がそれぞれ、第１回動軸１ａ・１ｂを回動可能に支持していることであってよく、支持フレーム４０は、座席フレーム１０を床面Ｇと略平行に配置可能としているとは、一対の座席レール１１・１２の一端部が一方の連結架４４ｂに回動可能に連結し、一対の座席レール１１・１２の他端部が他方の連結架４３ｂに当接されて載置されることであってよい（図１参照）。
【００７０】
図１又は図３において、リクライニングチェア１００の寸法と、座席１と背もたれ２及び脚部座３の長さは適宜設定される。リクライニングチェア１００は、例えば、横幅が約８０ｃｍに設定される。リクライニングチェア１００は、例えば、座席１の長さＬ１が約５５ｃｍ程度に設定され、背もたれ２の長さＬ２が７７ｃｍ程度に設定されている。脚部座３の長さＬ３は３３ｃｍ程度に設定されている。なお、図３では座席フレーム１０と背もたれフレーム２０及び脚部座フレーム３０の長さが示されているが、座席１と背もたれ２及び脚部座３の長さはこれらフレームの長さに相当すると考えられてよい。又、リクライニングチェア１００が傾斜ベッドとして用いられる場合は、前記傾斜ベッドは床面Ｇに対して例えば、最大約１０度に傾斜される（図１参照）。
【００７１】
又、図１において、リクライニングチェア１００は、支持フレーム４０内に設けられる第１及び第２電動アクチュエータ５１・５２を備えている。第１及び第２電動アクチュエータ５１・５２は、進退する直動軸５１ａ・５２ａ（以下、第１直動軸５１ａ及び第２直動軸５２ａという）を有している（図９参照）。第１直動軸５１ａの先端部は、背もたれフレーム２０と回動可能に連結されて背もたれフレーム２０を回動する（図９参照）。第２直動軸５２ａの先端部は、脚部座フレーム３０と回動可能に連結されて脚部座フレーム３０を回動する（図９参照）。
【００７２】
図９において、第１及び第２電動アクチュエータ５１・５２は、モータ本体５１ｂ・５２ｂ（以下、第１モータ本体５１ｂ及び第２モータ本体５２ｂという）に対して相対的に進退する第１及び第２直動軸５１ａ・５２ａを有している。第１及び第２直動軸５１ａ・５２ａの先端部には、一山クレビス形の支持部が備えられている。一方、この先端部に相反する向きに位置する第１及び第２モータ本体５１ｂ・５２ｂの後端部には、一山クレビス形の支持部が備えられている。
【００７３】
図９において、背もたれフレーム２０はアーム２７を下設しており、アーム２７の先端部と第１直動軸５１ａの先端部が回動可能に連結されている。一方、第１モータ本体５１ｂ側の支持部は、脚部座フレーム３０側の傾斜フレーム４ｃと回動可能に連結されている。より具体的には、第１モータ本体５１ｂ側の支持部は、一対の傾斜フレーム４１ｃ・４２ｃを連結する連結架４３ｃに固定されている一対のブラケット４３の先端部と回動可能に連結されている（図８、図１０及び図１１参照）。第１直動軸５１ａは、脚部座フレーム３０側から背もたれフレーム２０側に向って進出できる。第１直動軸５１ａは、背もたれフレーム２０側から脚部座フレーム３０側に向って退却できる。そして、第１電動アクチュエータ５１は背もたれフレーム２０を回動させる。
【００７４】
図９において、脚部座フレーム３０は、第２直動軸５２ａの先端部と回動可能に連結されている。より具体的には、第２直動軸５２ａの先端部は、一対の脚部座レール３１・３２を連結する連結架３７に固定されている一対のブラケット３７ａの先端部と回動可能に連結されている（図２及び図８参照）。一方、第２モータ本体５２ｂ側の支持部は、上部フレーム４ｂに下設されたアーム４５の先端部と回動可能に連結される。より具体的には、アーム４５は、一対の上部レール４１ｂ・４２ｂを連結する連結架４５ｂに固定されている一対のアーム４５で構成されている（図８、図１０及び図１１参照）。第２直動軸５２ａは、背もたれフレーム２０側から脚部座フレーム３０側に向って進出できる。第２直動軸５２ａは、脚部座フレーム３０側から背もたれフレーム２０側に向って退却できる。そして、第２電動アクチュエータ５２は脚部座フレーム３０を回動させる。
【００７５】
図９において、第１直動軸５１ａを進出して、座席フレーム１０に対して背もたれフレーム２０を起立させる。一方、第２直動軸５２ａを退却して、座席フレーム１０に対して脚部座フレーム３０が下垂する状態に維持する。そして、リクライニングチェア１００が椅子の状態となる（図１参照）。第１直動軸５１ａを退却して、座席フレーム１０と背もたれフレーム２０が面一になるように傾倒させる（図１参照）。一方、第２直動軸５２ａを進出して、座席フレーム１０と脚部座フレーム３０が面一になるように脚部座フレーム３０を回動して維持する。そして、リクライニングチェア１００がベッドの状態となる（図１及び図９参照）。
【００７６】
図１において、第１及び第２電動アクチュエータ５１・５２は、それぞれ独立して駆動されてよく、図示されない制御装置により相互に関連づけられて駆動されてもよい。又、第１及び第２電動アクチュエータ５１・５２は、背もたれフレーム２０及び脚部座フレーム３０の勾配を任意の傾斜角度で保持することも可能である。
【００７７】
本発明によるリクライニングチェア１００は、椅子として用いるときは、ソファーのようにくつろぐことができ、背もたれ２を倒し、脚部座３を起こすことにより、ベッドに変換される。本発明によるリクライニングチェア１００は、従来のリクライニングチェアと比較して、構成又は構造を簡易としている。
【００７８】
又、本発明によるリクライニングチェア１００は、第１及び第２電動アクチュエータ５１・５２を駆動することにより、背もたれフレーム２０が床面Ｇと略平行であり、座席フレーム１０及び脚部座フレーム３０が略面一で脚部座フレーム３０側が座席フレーム１０側より高位となる傾斜ベッドの状態に変位可能としている。
【００７９】
図９において、第１直動軸５１ａを退却して、座席フレーム１０と背もたれフレーム２０が面一になるように傾倒させる。一方、座席フレーム１０と脚部座フレーム３０が面一の状態であり床面Ｇと平行の状態から、第２直動軸５２ａを進出させると、座席フレーム１０と脚部座フレーム３０は面一の状態を維持したまま、第１回動軸１ａ・１ｂを回動中心として回動する（図１参照）。そして、座席フレーム１０と脚部座フレーム３０が面一の状態で所定角度に起立させて、傾斜ベッドの状態に変位可能となる（図１参照）。
【００８０】
ここで、座席フレーム１０に対して脚部座フレーム３０が下垂している状態から、座席フレーム１０と脚部座フレーム３０が面一の状態に変位可能であるが、座席フレーム１０に対して脚部座フレーム３０がこれ以上屈曲しないように座席フレーム１０と脚部座フレーム３０は連結されている（図９参照）。前述の傾斜ベッドの状態から第２直動軸５２ａを退却させると、座席フレーム１０が上部フレーム４ｂに当接した段階でベッドの状態となる。更に、第２直動軸５２ａを退却させると、脚部座フレーム３０は第２回動軸１ｃ・１ｄを中心に回動し、椅子の状態に戻ることができる（図１参照）。
【００８１】
本発明によるリクライニングチェア１００は、椅子の状態にもベッドの状態にも変換可能としている。更に、足部側が高く頭部側が低くなるように緩やかに傾斜するベッド、例えば、この傾斜ベッドに仰臥することにより足のむくみが回復するようなリラックスできるベッドに変換可能である。本発明によるリクライニングチェアは、従来のリクライニングチェアと比較して、構成又は構造を簡易としている。
【００８２】
更に、本発明による支持フレーム４０は、床面Ｇに設置される下部フレーム４ａと、下部フレーム４ａに対向して下部フレーム４ａより面積が小さく座席フレーム１０を載置可能な上部フレーム４ｂと、これら下部フレーム４ａ及び上部フレーム４ｂの端部同士を連結する一対の傾斜フレーム４ｃ・４ｄと、を備えている。一方の傾斜フレーム４ｃは脚部座フレーム３０に当接可能としている（図９〜図１１参照）。
【００８３】
図１０及び図１１において、下部フレーム４ａは、平行に延びる一対の下部レール４１ａ・４２ａを有し、一対の下部レール４１ａ・４２ａと直交するように一対の連結架４３ａ・４４ａが一対の下部レール４１ａ・４２ａの両端部に連結されて構成されている（図１０参照）。図１０及び図１１において、上部フレーム４ｂは、平行に延びる一対の上部レール４１ｂ・４２ｂを有し、一対の上部レール４１ｂ・４２ｂと直交するように一対の連結架４３ｂ・４４ｂが一対の上部レール４１ｂ・４２ｂに連結されて構成されている。
【００８４】
ここで、上部フレーム４ｂは下部フレーム４ａより面積が小さいとは、一対の上部レール４１ｂ・４２ｂは一対の下部レール４１ａ・４２ａより伸長が短いことであってよい。そして、上部フレーム４ｂに座席フレーム１０を載置可能としている（図９参照）。
【００８５】
一対の傾斜フレーム４ｃ・４ｄは、下部フレーム４ａ及び上部フレーム４ｂの端部同士を連結している（図１１参照）。なお、図１及び図９に示された実施形態では、リクライニングチェア１００が脚部座フレーム３０側又は背もたれフレーム２０側に傾倒しないように、下部フレーム４ａの両端部（一対の下部レール４１ａ・４２ａの両端部）は延出されてよく、特に、背もたれフレーム２０側の下部フレーム４ａの端部は、脚部座フレーム３０側の下部フレーム４ａの端部より長く延出されてよい。
【００８６】
そして、一方の傾斜フレーム４ｃは脚部座フレーム３０に当接可能としている。一方の傾斜フレーム４ｃは脚部座フレーム３０に当接可能としているとは、第２直動軸５２ａを退却して、脚部座フレーム３０が一方の傾斜フレーム４ｃに当接されることであってよく、座席フレーム１０に対して脚部座フレーム３０が下垂している椅子の状態が維持される。例えば、第２電動アクチュエータ５２が通電されることなく、椅子の状態が維持される。
【００８７】
本発明によるリクライニングチェア１００は、他方の傾斜フレーム４ｄに沿って取り付けられる一対のガイドレール４３ｄ・４４ｄと、一端部が背もたれフレーム３０と回動可能に連結し、他端部が一対のガイドレール４３ｄ・４４ｄに案内される一対のステー２１ｓ・２２ｓと、を備えている（図９、図１０及び図１４参照）。
【００８８】
図１０において、一対のガイドレール４３ｄ・４４ｄは、方形の溝Ｄ１・Ｄ２を有している。この方形の溝Ｄ１・Ｄ２が互いに対向するように、一対のガイドレール４３ｄ・４４ｄが一対の他方の傾斜フレーム４１ｄ・４２ｄに沿って取り付けられている。一対のステー２１ｓ・２２ｓの一端部は丸パイプ２２ｐで連結されている（図１４及び図１５参照）。例えば、一対のステー２１ｓ・２２ｓの一端部と丸パイプ２２ｐの接合部は、補強板が溶接されている。そして、丸パイプ２２ｐの両端部が背もたれフレーム２０と回動可能に連結している。
【００８９】
図１４及び図１５において、一対のステー２１ｓ・２２ｓの一端部と背もたれフレーム２０の結合関係が示されている。背もたれフレーム２０を構成する一対の背もたれレール２１・２２は対向する一対のブラケット２１ｂ・２２ｂを有している（図４参照）。丸パイプ２２ｐの一方の端部は、ブラケット２１ｂと回動可能に連結している（図１５参照）。丸パイプ２２ｐの他方の端部は、ブラケット２２ｂと回動可能に連結している（図１４参照）。
【００９０】
丸パイプ２２ｐの両端部とブラケット２１ｂの結合関係は、例えば、図１６に示されている。図１６において、丸パイプ２２ｐの一方の端部はボスで閉鎖されており、このボスにめねじが形成されている。一方、ブラケット２１ｂの端部には穴が設けられている。そして、この穴を介してボルトが前記ボスに固定されることにより、丸パイプ２２ｐの一方の端部とブラケット２１ｂが回転結合する。なお、丸パイプ２２ｐの他方の端部も同様に回転結合されるので、説明を省略する。
【００９１】
一方、一対のステー２１ｓ・２２ｓの他端部には、ローラベアリング２２ｒが片持ち状に設けられている（図１４及び図１５参照）。一対のローラベアリング２２ｒ・２２ｒがガイドレール４３ｄ・４４ｄの溝Ｄ１・Ｄ２にそれぞれ案内される（図１４及び図１５参照）。ここで、背もたれレール２１・２２とガイドレール４３ｄ・４４ｄ及びステー２１ｓ・２２ｓは、一対のリンクを構成しているということもできる。
【００９２】
図９において、第１直動軸５１ａを進出すると、一対のステー２１ｓ・２２ｓの他端部（一対のローラベアリングＲ１・Ｒ２）は、一対のガイドレール４３ｄ・４４ｄの溝Ｄ１・Ｄ２に案内されて、上部フレーム４ｂ側に移動する。一方、第１直動軸５１ａを退却すると、一対のステー２１ｓ・２２ｓの他端部は一対の溝Ｄ１・Ｄ２に案内されて、下部フレーム４a側に移動して停止する。
【００９３】
つまり、一対のステー２１ｓ・２２ｓは、座席フレーム１０と背もたれフレーム２０が床面Ｇと平行な状態の時に、背もたれフレーム２０にかかる荷重（人体の重量も含む）を負担（支持）している（図１参照）。例えば、第１電動アクチュエータ５１が通電されることなく、ベッド及び傾斜ベッドの状態が維持される。
【００９４】
又、本発明によるリクライニングチェア１００は、背もたれフレーム２０の頂部にヘッドボード６０が回動可能に連結され、ヘッドボード６０は背もたれフレーム２０と平行に折りたたみ可能としている（図１参照）。
【００９５】
図１に示されるように、ヘッドボード６０は平板状に形成されている。ヘッドボード６０の一方の端部と背もたれフレーム２０の頂部がヒンジ６１で回転可能に連結されている（図６及び図７参照）。そして、ヘッドボード６０及び背もたれフレーム２０の頂部側の両翼に一対のステー６２ｓ・６３ｓが配置されている（図６参照）。一対のステー６２ｓ・６３ｓの一端部はヘッドボード６０と回動可能に連結されている（図５参照）。一対のステー６２ｓ・６３ｓの他端部は、背もたれフレーム２０の頂部側の両翼にスライド可能に連結されている（図６参照）。
【００９６】
図６において、背もたれフレーム２０の頂部側の両翼に一対の案内板６４・６５が取り付けられている。この一対の案内板６４・６５に一対のステー６２ｓ・６３ｓの他端部を案内するＬ字状の溝６４１・６４２が形成される。図６は、背もたれフレーム２０と平行にヘッドボード６０が折りたたまれた状態であり、ステー６２ｓ・６３ｓの他端部は、溝６４１・６４２の一方の端部側に移動している。
【００９７】
図６の状態から、背もたれフレーム２０に対してヘッドボード６０を起立させると、ステー６２ｓ・６３ｓの他端部は、溝６４１・６４２の他方の端部側にスライドする。背もたれフレーム２０に対してヘッドボード６０が略９０度に起立すると、ステー６２ｓ・６３ｓの他端部は、溝６４１・６４２の他方の端部に当接してそれ以上は開かない。又、ステー６２ｓ・６３ｓの他端部は、溝６４１・６４２の他方の端部側に沈下しているので、反対方向に閉じることも困難としている。
【００９８】
例えば、図１に示されるリクライニングチェア１００をベッド又は傾斜ベッドとして使用するときは、背もたれフレーム２０に対してヘッドボード６０を起立させることにより、頭部がヘッドボード６０で防御される。又、このとき、ヘッドボード４０は一対のステー６２ｓ・６３ｓに係止されて背もたれフレーム２０に対して略９０度以上開閉しないようになっている。又、例えば、本発明によるリクライニングチェア１００を椅子として使用するときは、ヘッドボード６０を背もたれフレーム２０と平行に折りたたみ、更に、このヘッドボード６０上にマットレス１ｍを敷くことにより、この部位をヘッドレストとすることができる。
【００９９】
又、本発明によるリクライニングチェア１００は、座席フレーム１０及び背もたれフレーム２０の両翼に開閉自在にそれぞれ一対の落下防止柵７１・７２、７３・７４が設けられている。一対の落下防止柵７１・７２、７３・７４の内側に一定の間隔をあけて身体が規制される一対の体側規制部材が配置されている（図１参照）。
【０１００】
例えば、落下防止柵（以下、サイドガードという）７１〜７４は丸パイプで構成され、座席フレーム１０及び背もたれフレーム２０の両翼にめぐらされて、人体の落下を防止する（図１９及び図２０参照）。一対のサイドガード７１・７２、７３・７４は、座席フレーム１０及び背もたれフレーム２０の両翼に開閉自在に設けられる。そして、一対のサイドガード７１・７２、７３・７４の内側に一定の間隔をあけて身体が規制される一対の体側規制部材７１ｍ・７２ｍ、７３ｍ・７４ｍが配置される。これらサイドガード７１〜７４はそれぞれ独立して開閉される。必要に応じて所定の個所のサイドガードが開閉される。例えば、介助者が患者をベッドから移動するときには、片側のサイドガードが開かれてもよい。
【０１０１】
例えば、図１７において、サイドガード７１の下部に丸パイプ７１ｐが取り付けられている。丸パイプ７１ｐは座席レール１１と平行に配置されている（図１８参照）。座席レール１１には一対の保持ブロックＢ１・Ｂ２が設けられており、一対の保持ブロックＢ１・Ｂ２で丸パイプ７１ｐの両端部が保持されている。
【０１０２】
一方の保持ブロックＢ１には圧縮コイルばね７１ｓが内装されており、丸パイプ７１ｐを他方の保持ブロックＢ２側に付勢している。丸パイプ７１ｐの他方の端部にはピン７１ｎが突出しており、ピン７１ｎが保持ブロックＢ２に形成された溝に嵌合して、サイドガード７１の起立状態を維持している（図１７参照）。丸パイプ７１ｐを保持ブロックＢ１側に移動すると、ピン７１ｎが前記溝の嵌合から解除され、サイドガード７１を回動して開くことができる（図１８参照）。なお、サイドガード７２〜７４も同様の構造であるので、説明は省略する。
【０１０３】
このように、本発明によるリクライニングチェアを傾斜ベッド、特に、この傾斜ベッドに仰臥することにより足のむくみが回復するようなリラックスできるベッドと使用するときに、身体が規制される一対の体側規制部材が配置されることにより、身体が移動することなく安定した姿勢を保つことができる。
【０１０４】
そして、一対の体側規制部材７１ｍ・７２ｍ、７３ｍ・７４ｍは、座席フレーム１０と背もたれフレーム２０及び脚部座フレーム３０に載置されるマットレス１ｍと同じクッション部材であってもよく、マットレス１ｍに着脱自在なクッション部材であることが好ましく、相互に着脱自在に積層される分割可能なクッション部材であってもよい。
【０１０５】
体側規制部材７１ｍ・７２ｍ、７３ｍ・７４ｍは、例えば、面ファスナーでマットレス１ｍに着脱自在に結合されてもよい。一対の体側規制部材７１ｍ・７２ｍは、例えば、直方体状に形成され、分割されて面ファスナーで相互に着脱自在に積層されてもよい（図１９参照）。
【図面の簡単な説明】
【０１０６】
【図１】本発明によるリクライニングチェアの一実施形態を示す正面図である。
【図２】前記実施形態によるリクライニングチェアの平面図である。
【図３】前記実施形態によるリクライニングチェアの正面図である。
【図４】図３の横断面図である。
【図５】前記実施形態によるリクライニングチェアの要部拡大平面図であり、主としてヘッドボードが描かれている。
【図６】図５の正面図であり、主としてヘッドボードが描かれている。
【図７】図５の右側面図であり、主としてヘッドボードが描かれている。
【図８】前記実施形態によるリクライニングチェアの平面図である。
【図９】前記実施形態によるリクライニングチェアの正面図であり、このリクライニングチェアの動作が描かれている。
【図１０】前記実施形態によるリクライニングチェアの支持フレームの平面図である。
【図１１】前記実施形態による支持フレームの正面図である。
【図１２】前記実施形態による支持フレームの右側面図である。
【図１３】前記実施形態による支持フレームの要部拡大平面図である。
【図１４】図９の要部拡大図である。
【図１５】図１０の要部拡大図である。
【図１６】図１５のＡ部を拡大した断面図である。
【図１７】前記実施形態によるリクライニングチェアの正面図であり、主として落下防止柵が描かれている。
【図１８】図１７の横断面図であり、主として落下防止柵が描かれている。
【図１９】前記実施形態によるリクライニングチェアの横断面図であり、主として落下防止柵及び体側規制部材が描かれている。
【図２０】前記実施形態によるリクライニングチェアの横断面図であり、主として落下防止柵及び体側規制部材が描かれている。
【図２１】従来技術によるリクライニングチェアのフレームの側面図である。
【符号の説明】
【０１０７】
１ａ・１ｂ    第１回動軸（ピン）
１ｃ・１ｄ    第２回動軸（ピン）
１０    座席フレーム
２０    背もたれフレーム
３０    脚部座フレーム
５１・５２    第１及び第２電動アクチュエータ
５１ａ・５２ａ    第１及び第２直動軸
１００    リクライニングチェア
Ｇ    床面
【図１】
2006326172.tif 000003
【図２】
2006326172.tif 000004
【図３】
2006326172.tif 000005
【図４】
2006326172.tif 000006
【図５】
2006326172.tif 000007
【図６】
2006326172.tif 000008
【図７】
2006326172.tif 000009
【図８】
2006326172.tif 000010
【図９】
2006326172.tif 000011
【図１０】
2006326172.tif 000012
【図１１】
2006326172.tif 000013
【図１２】
2006326172.tif 000014
【図１３】
2006326172.tif 000015
【図１４】
2006326172.tif 000016
【図１５】
2006326172.tif 000017
【図１６】
2006326172.tif 000018
【図１７】
2006326172.tif 000019
【図１８】
2006326172.tif 000020
【図１９】
2006326172.tif 000021
【図２０】
2006326172.tif 000022
【図２１】
2006326172.tif 000023